(57)【要約】【課題】受信コンデションが劣化した下でチャンネル初期設定をおこなうと、以前、通常の受信コンデションにおいておこなわれたチャンネル初期設定によってチャンネルマップに保存されたチャンネル情報が、後からおこなわれたチャンネル初期設定によって作られた取得チャンネル情報の少ないチャンネルマップに更新されてしまう。【解決手段】以前行われたチャンネル初期設定時に記憶されたチャンネルマップに放送信号有りとして登録されたチャンネル以外のチャンネルについてのみ放送信号の有無の判別をおこなって、新規に放送信号を検出したチャンネル情報を記憶手段のチャンネルマップに放送信号有りとして追加登録する。【選択図】  図１
2004320397.tif 000002
【特許請求の範囲】
【請求項１】
放送信号を受信する受信手段と、
前記受信手段において受信可能なチャンネルを選局し、該チャンネルに放送信号が含まれるか否かを判別する判別手段と、
前記判別手段における判別に基づいて、選局されたチャンネルにおける放送信号の存在に関する情報を記憶する記憶手段と、
前記判別手段において放送周波数帯域の複数のチャンネルをスキャンし、前記記憶手段に放送周波数帯域の複数のチャンネルの放送信号の存在に関する情報を記憶するように前記判別手段と、前記記憶手段とを制御してチャンネル設定動作を行なうチャンネル設定手段と、を備え、
前記チャンネル設定手段は、前記記憶手段に放送信号が存在することが記憶されているチャンネルについては、スキャン時に該チャンネルをスキップしてチャンネル設定動作を行うことを特徴とする受信装置。
【請求項２】
請求項１に記載の受信装置であって、
チャンネルを順にアップダウンさせるとき、前記記憶手段に放送信号が存在することが記憶されたチャンネルを選択して選局するチャンネルアップダウン選局手段、
を備えてなることを特徴とする受信装置。
【請求項３】
前記判別手段は、前記放送信号がアナログ放送であるときは、映像信号に含まれる水平同期信号の検出によって放送信号が含まれることを判別することを特徴とする請求項１に記載の受信装置。
【請求項４】
前記判別手段は、前記放送信号がデジタル放送であるときは、デジタル放送信号に含まれるプログラム情報データの取得によって放送信号が含まれることを判別することを特徴とする請求項１に記載の受信装置。
【請求項５】
前記チャンネル設定手段は、チャンネル設定の動作回数を記憶することを特徴とする請求項１に記載の受信装置。
【請求項６】
前記チャンネル設定手段は、記憶されている前記チャンネル設定の動作回数が１回以上であるとき、チャンネル設定動作を所定の周期で自動的に行うことを特徴とする請求項５に記載の受信装置。
【請求項７】
前記記憶手段は、前記放送信号がデジタル放送信号であるとき、放送信号の存在する物理チャンネルと論理チャンネルの番号を特定したチャンネルマップを記憶することを特徴とする請求項１に記載の受信装置。
【請求項８】
前記受信装置を電源オフ操作により省電力の待機状態にする待機手段を備え、前記待機状態時に前記チャンネル設定動作を行うようにしたことを特徴とする請求項１に記載の受信装置。
【請求項９】
前記記憶手段に記憶されているチャンネル設定の動作回数を初期化する初期化手段を備えたことを特徴とする請求項５に記載の受信装置。
【請求項１０】
前記判別手段はチャンネル設定の動作回数に基づいて判別精度を変えるようにしたことを特徴とする請求項５に記載の受信装置。
【請求項１１】
前記判別手段の判別精度は、
アナログ放送においては、映像信号に含まれる水平同期信号検出に供する時間によって変えることを特徴とする請求項１０に記載の受信装置。
【請求項１２】
前記判別手段の判別制度は、
デジタル放送においては、放送プログラム情報データの解析に供する時間によって変えることを特徴とする請求項１０に記載の受信装置。
【請求項１３】
前記受信装置は、前記記憶手段に放送信号が存在することが記憶されているチャンネルについて、該チャンネルに放送信号が含まれるか否かを判別する既登録チャンネル判別手段を備え、
前記既登録チャンネル判別手段により、該チャンネルに放送信号は存在しないと判別されたときには前記記憶手段における該チャンネルの放送信号の存在に関する情報を変更することを特徴とする請求項１に記載の受信装置。
【請求項１４】
前記既登録チャンネル判別手段は、複数回、放送信号が受信されないときに該チャンネルに放送信号は存在しないと判別することを特徴とする請求項１３に記載の受信装置。
【請求項１５】
前記記憶手段に記憶されている前記チャンネルマップに関する情報を表示信号に合成するＯＳＤ手段と、
前記ＯＳＤ手段において合成された表示信号を表示する表示手段と、
を備えてなる請求項７に記載の受信装置。
【請求項１６】
チャンネルアップダウン選局時において選局するチャンネルを設定するチャンネル設定方法であって、
放送信号を受信する受信ステップと、
複数チャンネルを連続してスキャンし、スキャンしたチャンネルに放送信号が含まれるときに、該チャンネルに関する情報を記憶する第１のチャンネル設定ステップと、
前記第１のチャンネル設定ステップにおいて放送信号が含まれるとして記憶されたチャンネルをスキップして複数チャンネルをスキャンし、スキャンしたチャンネルに放送信号が含まれるときに、該チャンネルに関する情報を記憶する第２のチャンネル設定ステップと、
を備えてなることを特徴とするチャンネル設定方法。
【請求項１７】
前記第１のチャンネル設定ステップにおいてスキャンされるチャンネルは、放送周波帯域に含まれる周波数を有する全チャンネルであることを特徴とする請求項１６に記載のチャンネル設定方法。
【請求項１８】
前記第１および第２のチャンネル設定ステップによって記憶された情報に基づいて複数のチャンネルの放送信号の有無を示すチャンネルマップを作成するチャンネルマップ作成ステップと、
前記チャンネルマップ作成ステップにおいて作成されたチャンネルマップを表示する表示ステップとを備えてなることを特徴とする請求項１６に記載のチャンネル設定方法。
【発明の詳細な説明】
【０００１】
【発明の属する技術分野】
本発明は、チャンネルを選局して設定する機能を有する受信装置に関する。
【０００２】
【従来の技術】
一般に、アナログ放送テレビジョン受信装置やデジタル放送テレビジョン受信装置は、受信可能なチャンネルに関する情報をチャンネルマップデータとして、例えば不揮発性メモリに保存している。そして、保存された受信可能なチャンネル間で例えばチャンネルＵＰ／ＤＯＷＮ選局して所望のチャンネルを選局する。
【０００３】
しかし、テレビジョン受信装置の電源が最初に投入された時点では、このチャンネルマップデータには受信可能なチャンネル情報が含まれていない。そこで、テレビジョン放送用周波数帯域として割り当てらえた周波数帯域内で予め定められた最小のチャンネルから最大のチャンネルまで全てのチャンネルについて１チャンネル毎に順番に選局を繰り返して、受信可能なチャンネルのチャンネル情報をチャンネルマップデータとして不揮発メモリに保存するというチャンネル初期設定動作を行い、以降は保存したチャンネルマップを基に例えばチャンネルＵＰ／ＤＯＷＮ選局をするようになっている。このような従来技術は、例えば下記特許文献１〜４に開示されている。
【０００４】
【特許文献１】
特開２００２−２４７４６０号公報
【特許文献２】
特開２０００−５９１８０号公報
【特許文献３】
特開２００２−２１８３３５号公報
【特許文献４】
特開２００２−３４４８２９号公報
【０００５】
【発明が解決しようとする課題】
ユーザの所望するチャンネルを登録する場合であって、チャンネル初期設定動作時たまたま変動要因によりチャンネルの受信レベルが限界受信レベルχを下回っていると、この所望のチャンネルはチャンネルマップには登録されない。このことに気づいたユーザが、所望チャンネルがチャンネルマップに登録されるように、例えばアンテナの角度や方向を変えて、再度チャンネル初期設定動作を実行すると、チャンネル初期設定に要する時間が１チャンネルあたり最大２秒を費やすとした場合に米国Ａｉｒ放送における全６８チャンネル全てをＳＣＡＮするには６８チャンネル×２秒＝１３６秒の時間が必要であり、ユーザはチャンネル初期設定動作が終了するまで新たに１３６秒間待つ必要がある。なお、このとき、不揮発メモリのチャンネルマップでは前のデータが消去されて新たなデータが上書きされることになる。
【０００６】
このようなケースは室内用の簡易アンテナであるポータブルアンテナを用いた場合に生じ易い。特に、ゴーストや電界強度が低くてもＳ／Ｎによる画質への影響が少ないデジタル放送では、ポータブルアンテナが使用される頻度がアナログ放送に比べて高いと考えられる。この場合、ポータブルアンテナの位置や周囲の障害物の配置や気象条件による電波状態の変化によって受信レベルが不安定となりやすいため、１回目のチャンネル初期設定で放送されているはずの希望のチャンネルの一部が取得できず、希望のチャンネルすべてを取得すべく、何度も繰り返してチャンネル初期設定をおこなうことになる。
【０００７】
また、小型の例えば５インチ程度の液晶表示パネルと小型アンテナを備えたポータブル液晶テレビジョン受信装置でも同様なことが起こり得る。
【０００８】
電波受信状態の変化を抑えるためには、室外にアンテナを受信したい放送局がある方向に向けて正しく据え付けることで実現できるが、それでも受信電界強度が低い放送局があれば、気象によって受信可能であったり受信不可となったりする場合がある。
【０００９】
また、一部の放送が停止される深夜においてチャンネル初期設定を再実行した場合には、チャンネルマップが上書きされるので、以前に作成されたチャンネルマップが消去され、偶然放送波が無いときのチャンネルマップが新たに作成されてしまう。
【００１０】
アナログ放送の場合は、放送を受信する受信周波数とチャンネルとは１対１に対応しており、勿論、数字キーを用いて所望チャンネルをダイレクト選局することも可能ではある。しかし、デジタル放送の場合は、例えば米国のＡＴＳＣ方式では放送プログラムのチャンネル（Ｌｏｇｉｃａｌ  Ｃｈａｎｎｅｌ以下論理チャンネルと称する）はＭａｊｏｒ  Ｃｈａｎｎｅｌの数ＸとＭｉｎｏｒ  Ｃｈａｎｎｅｌの数Ｙを用いてＸ−Ｙと表示され、１つの受信周波数の放送波に複数の放送プログラムが多重化されており、複数の放送プログラムのうちの各放送プログラムの論理チャンネルＸ−Ｙはそれぞれ異なっている。このように、論理チャンネル番号と受信周波数とは１対１に対応しておらず、放送プログラムを示す論理チャンネル番号から直接所望放送プログラムを受信するのは困難であり、一度受信して受信周波数と論理チャンネル番号の対応表すなわちチャンネルマップを作成しないと、選局が難しい。なお、アナログのチャンネルのように受信周波数と１対１に対応したチャンネルを論理チャンネルと区別するために物理チャンネル（Ｐｈｙｓｉｃａｌ  Ｃｈａｎｎｅｌ）と以下称する。
【００１１】
以上述べたように、従来技術では、限界受信レベル近傍の放送波を確実にチャンネルマップに登録するにはチャンネル初期設定動作を全チャンネルに渡って繰り返し行う必要があり、時間がかかるという問題がある。
【００１２】
本発明は上記した課題に鑑みて成されたものであり、その目的は、２回目以降のチャンネル初期設定の時間を短縮して使い勝手のよいテレビジョン受信装置を提供することにある。
【００１３】
【課題を解決するための手段】
上記した課題を解決するために、本発明では、チャンネルアップダウン選局時において選局するチャンネルを設定するチャンネル初期設定において、既に放送信号が含まれることが記憶されたチャンネルは、その後の再度のチャンネル設定においてはスキップしてスキャンし、新たに該チャンネルに関する情報を得たときはこれを記憶するような受信装置とする。
【００１４】
このように、本発明では、メモリにチャンネルマップを上書きすることなく、新たに検出したチャンネル情報のみをメモリのチャンネルマップに追加登録するようにして、２回目以降のチャンネル設定の時間を短縮することができる。
【００１５】
また、上書きすることなく繰り返してチャンネル設定をすることができるので、前記放送信号の受信レベルの変動要因の影響を軽減することができ、チャンネル設定できなかった所望チャンネルをより確実に前記チャンネルマップに登録することができる。
【００１６】
【発明の実施の形態】
以下、本発明の実施の形態を図を用いて説明する。地上波デジタル放送に関して、米国のＡＴＳＣ方式の地上波デジタル放送を用いて、先ず、その概要を述べる。
【００１７】
アナログ放送に対してＡＴＳＣ方式（米国のＡｄｖａｎｃｅｄ    Ｔｅｌｅｖｉｓｉｏｎ    Ｓｙｓｔｅｍｓ    Ｃｏｍｍｉｔｔｅｅ）地上波デジタル放送では、複数放送プログラムの映像と音声は個別にＭＰＥＧ−２エンコーダによって圧縮され、放送プログラム情報データ（Ｐｒｏｇｒａｍ    Ｓｐｅｃｉｆｉｃ  Ｉｎｆｏｒｍａｔｉｏｎ  以下、ＰＳＩと略す）と共にパケット化されてトランスポートストリーム（Ｔｒａｎｓｐｏｒｔ  Ｓｔｒｅａｍ以下、ＴＳと略す）とされ、デジタル変調されて放送される。
【００１８】
ＡＴＳＣ方式地上波デジタル放送においては、アナログ放送が物理チャンネルのみであるのに対して、ＡＴＳＣ方式地上波デジタル放送では物理チャンネルに１対多で対応する論理チャンネルが使用され、この論理チャンネルはＭａｊｏｒチャンネルとＭｉｎｏｒチャンネルで与えられ、一つの物理チャンネルの中に複数多重化されて存在し、それぞれの論理チャンネルで異なる放送プログラムが放送される。
【００１９】
また、ＭａｊｏｒチャンネルとＭｉｎｏｒチャンネルの番号は放送局側で任意に設定されており、これらはＰＳＩデータに含まれて放送される。そのため、ＡＴＳＣ方式地上波デジタル放送を受信するときは、最初にこのＰＳＩデータを解析してＭａｊｏｒチャンネルとＭｉｎｏｒチャンネルの番号の認識や、その他の必要なデータの認識をおこなう必要がある。
【００２０】
従って、ＡＴＳＣ方式地上波デジタル放送用のテレビジョン受信装置におけるチャンネル初期設定動作ではＰＳＩデータを解析してＭａｊｏｒチャンネルとＭｉｎｏｒチャンネルの番号をチャンネルマップに登録する。米国のＡＴＳＣ方式地上波デジタル放送の場合、前記したように、複数の放送プログラムの映像、音声はそれぞれＭＰＥＧ−２エンコーダで圧縮されてＰＳＩデータと共にパケット化されて時分割で送出されている。それぞれのパケットはＰａｃｋｅｔ  Ｉｄｅｎｔｉｆｉｅｒ（以下、ＰＩＤと略す）による任意の番号の割り振りが規定されているが、番号が指定されているものもある。例えば、ＭＰＥＧ−２規格（ＩＳＯ／ＩＥＣ  １３８１８−１）によればＰＩＤの０ｘ００００はＴＳ全体の情報を含むＰｒｏｇｒａｍ  Ａｓｓｏｃｉａｔｉｏｎ  Ｔａｂｌｅ（以下、ＰＡＴと略す）に割り当てられ、ＡＴＳＣ規格によればＰＩＤの０ｘ１ＦＦＢはＶｉｒｔｕａｌ  Ｃｈａｎｎｅｌ  Ｔａｂｌｅ（以下、ＶＣＴと略す）に割り当てられている。
【００２１】
ＰＡＴには１つの物理チャンネルに含まれる放送プログラム数を示す（即ち、論理チャンネルのチャンネル総数）Ｐｒｏｇｒａｍ  Ｎｕｍｂｅｒが含まれており、ＰＡＴを解析することで受信物理チャンネルに放送プログラムがいくつあるかを知ることが出来る。また、ＶＣＴには受信物理チャンネルに含まれる全プログラムのＭａｊｏｒチャンネル番号とＭｉｎｏｒチャンネル番号が含まれており、ＶＣＴを解析することで論理チャンネル番号の情報を得ることが出来る。これらの詳細については米国ＡＴＳＣ規格Ａ／６５の表４．２に記述されている。
【００２２】
前記の時分割送出されるパケット全体はＴＳと呼ばれ、ＴＳは８−ＶＳＢ（Ｖｅｓｔｉｇｉａｌ  Ｓｉｄｅｂａｎｄ  Ｍｏｄｕｌａｔｉｏｎ）変調器でデジタル変調された後、所定の周波数にＵＰコンバートされてＲＦ信号として送信される。
【００２３】
図６に放送チャンネルの受信レベルの一例を示す。図６において、縦の棒線は放送チャンネル毎の各周波数帯での受信レベルを示し、χはアナログ放送の場合放送波に含まれる映像信号の水平同期信号が検出可能であって放送波有りと判定できる限界の受信レベルを示す。またデジタル放送方式による地上波デジタルテレビジョン放送の場合を用いて述べる）の場合は、χは有効なデジタル放送を受信していることを示すセグメント同期信号を検出できる限界の受信レベルを示す。○印はそのチャンネルが放送波として受信出来ていることを示し、×印は放送波として受信出来ていないことを示す。図６の○印のチャンネルは放送波有りと判定されてチャンネルＵＰ／ＤＯＷＮ選局時にスキップしないように設定される。チャンネル７は限界受信レベルχに対して余裕が少なく、例えば航空機通過や気象条件や風によるアンテナの角度／方向の変動で限界受信レベルχを下回る場合も想定され、もし、変動要因により受信レベルが限界受信レベルχを下回った場合、このときチャンネル初期設定がおこなわれた場合は、このチャンネルはスキップするように設定される。
【００２４】
図２は本発明による実施形態であるＡＴＳＣ方式地上波デジタルテレビジョン放送用のテレビジョン受信装置の概略構成を示すブロック図である。図２において、ＡＴＳＣ方式地上波デジタルテレビジョン放送はアンテナ１５からＤＴＶチューナ部５に入力され、８−ＶＳＢデモジュレータ５３にてＴＳ信号に復調されてデマルチプレクサＤＥＭＵＸ６１にてＭＰＥＧ−２映像とＭＰＥＧ−２音声とＰＳＩデータに分離される。
【００２５】
ＭＰＥＧ−２映像とＭＰＥＧ−２音声は、デコーダ６２によって映像信号と音声信号に復号され、ＴＶ機能処理部６４で処理されて表示部１３へ出力される。ＰＳＩデータはＰＳＩ処理部６３で解析されて、デジタルチューナ制御用サブマイクロプロセッサ（以下サブマイコンと略す）５４に入力される。
【００２６】
ＴＶ機能制御用マイクロプロセッサ（以下ＴＶマイコンと略す）３は、サブマイコン５４を介してデジタルチューナの選局制御を行う選局制御部６と、ＴＶ機能処理部６４を制御するデバイスコントロール部７と、ＯＳＤ（Ｏｎ  Ｓｃｒｅｅｎ  Ｄｉｓｐｌａｙ）信号を表示部１３へ出力して、映像信号にＯＳＤを表示させるＯＳＤ発生部８と、これらを制御する演算制御手段であるＣＰＵ１０とからなる。
【００２７】
ＴＶマイコン３のＣＰＵ１０は選局制御部６を介してサブマイコン５４を制御し、デバイスコントロール部７を介してＴＶ機能処理部６４を制御し、ＯＳＤ発生部８を制御してＯＳＤ信号を表示部１３へ出力し、ＴＶ機能の設定情報を不揮発性メモリであるＥＥＰＲＯＭ１に保存する。後述するチャンネル初期設定動作の実行回数を示す実行履歴値はＥＥＰＲＯＭ１のメモリに記憶されている。
【００２８】
サブマイコン５４はＴＶマイコン３の選局制御部６に制御されてＤＴＶチューナ部５を制御して選局をおこない、８−ＶＳＢデモジュレータ５３からＡＴＳＣ方式で規定されたセグメント同期信号の検出情報を取得し、ＤＥＭＵＸ６１を制御して所望放送プログラムの映像データと音声データの抽出をおこない、必要に応じて、ＰＳＩ処理部６３から入力される選局設定情報をフラッシュメモリ５２に保存し、また、フラッシュメモリ５２を制御して選局設定情報の読み出しをおこなう。
【００２９】
図１は、本発明による実施形態を示すＡＴＳＣ方式地上波デジタルテレビジョン放送用のテレビジョン受信装置のチャンネル初期設定動作のフローチャートである。以下、図２のブロック図を参照して図１のフローチャートについて、詳細に述べる。
【００３０】
図１において、ユーザによるチャンネル初期設定指示（図示せず）を受けて、ＴＶマイコン３のＣＰＵ１０はＴＶマイコン３の選局制御部６を介してサブマイコン５４にチャンネル初期設定の指示をおこなう。この時、チャンネル初期設定動作の実行回数を示すＥＥＰＲＯＭ１に記憶されている実行履歴値も送信する。サブマイコン５４は先ずＳ２０１でチャンネル初期設定が何回実行されたかを示す実行履歴値をチェックする。テレビジョン受信装置で初めてチャンネル初期設定動作を行う場合は、実行履歴値は初期値０であるので、Ｓ１０１に行く。
【００３１】
サブマイコン５４はＳ１０１にてフラッシュメモリ５２のチャンネルマップのデータをクリアする。次にＳ１０２にてＤＴＶチューナ部５に最小の物理チャンネルを選局させ、Ｓ１０３にて８−ＶＳＢデモジュレータ５３の復調結果から、放送信号がある場合に生じるＡＴＳＣ方式で規定されたセグメント同期信号の検出の有無の判定をおこない、セグメント同期信号が検出されない場合はＳ１０４に行く。Ｓ１０４では所定の時間Ｔ１が経過したかタイムアウト１の判定をおこない、タイムアウト１の判定がＮＯであればＳ１０３に戻ってセグメント同期信号の検出を続け、タイムアウト１の判定がＹＥＳのときはＳ２０４に行く。
【００３２】
Ｓ１０３にてセグメント同期信号が検出される場合には、Ｓ１０５にてサブマイコン５４はＰＳＩ処理部６３からＰＡＴとＶＣＴを取得・解析を行い、Ｓ１０６にてＰＡＴの解析結果から多重化されているＰｒｏｇｒａｍ  Ｎｕｍｂｅｒ  Ｎを取得できるかチェックし、取得できないときはＳ１０７にて所定の時間Ｔ２が経過したかタイムアウト２の判定をおこない、この判定がＮＯのときはＳ１０５に戻ってＰＡＴとＶＣＴの取得・解析を続け、ＹＥＳのときはＳ２０４に行く。
【００３３】
サブマイコン５４は、Ｓ１０６でＰｒｏｇｒａｍ  Ｎｕｍｂｅｒ  Ｎを取得できる場合はＳ１０８にてＶＣＴ解析によって論理チャンネル情報が取得できたか判定をおこなう。ＹＥＳのときはＳ１１０に行き、ＮＯのときはＳ１０９にて物理チャンネル番号をＭａｊｏｒチャンネル番号とし、Ｍｉｎｏｒチャンネル番号として１からＰｒｏｇｒａｍ  Ｎｕｍｂｅｒ  Ｎまでが存在すると判断し、Ｓ１１０に行く。Ｓ１１０では上記で得えられた物理チャンネル番号とＭａｊｏｒ，Ｍｉｎｏｒチャンネル番号をフラッシュメモリ５２に保存し、Ｓ２０４で実行履歴値が１以上かどうかをチェックする。初めてチャンネル初期設定動作を行う場合は実行履歴値は０なのでＳ１１１にて現在の物理チャンネルが最大チャンネルか否かの判定をおこなう。
【００３４】
Ｓ１１１で現在の物理チャンネルが最大チャンネルであればＳ２０５に行く。Ｓ２０５では、サブマイコン５４はチャンネル初期設定動作の終了情報をＴＶマイコン３に送り、ＴＶマイコン３は終了情報を受けてＥＥＰＲＯＭ１に格納されている実行履歴値を＋１する。そして、処理を終了する。また、現在の物理チャンネルが最大チャンネルでなければＳ１１２に行き、Ｓ１１２で現在の物理チャンネルの１つ上の物理チャンネルの選局をＤＴＶチューナ部５に指示し、Ｓ１０３に戻る。
【００３５】
チャンネル初期設定動作が初めてでなければ、Ｓ２０１の判定で、実行履歴値は１以上なので、Ｓ２０２に行く。Ｓ２０２では、サブマイコン５４は過去に作成されたフラッシュメモリ５２に保存されているチャンネルマップを参照して、これとは別に、チャンネルＵＰ／ＤＯＷＮ選局時スキップするようにした未登録のチャンネルを例えば昇順にリストアップしたチャンネルマップである未登録チャンネルマップを作成しフラッシュメモリ５２に保存する。Ｓ２０３では未登録チャンネルマップの中から未登録の最小物理チャンネルを探して、未登録の最小物理チャンネルを受信してＳ１０３のセグメント同期検出判定以降の動作へ移り、以降は前記した処理と同様な処理を行いＳ２０４に至る。
【００３６】
チャンネル初期設定動作が初めてでなければ、実行履歴値は１以上なので、今度はＳ２０４の判定ではＹＥＳとなり、Ｓ２０６へ行く。Ｓ２０６ではサブマイコン５４はフラッシュメモリ５２に保存されている未登録チャンネルマップを参照して未登録の物理チャンネルの中から未登録の最大物理チャンネルを探して、Ｓ２０７で現在物理チャンネルが未登録の最大物理チャンネルであるかチェックする。ＮＯであればＳ２０８で未登録チャンネルマップの中の次の上位未登録物理チャンネルを受信して、Ｓ１０３に戻る。Ｓ２０７でＹＥＳであれば未登録チャンネルマップ内の未登録物理チャンネルのチャンネル設定動作をすべて終了したことになるので、Ｓ２０９で未登録チャンネルマップをクリアして、Ｓ２０５で実行履歴値を＋１して、処理を終了する。
【００３７】
図３は図２のＡＴＳＣ方式地上波デジタルテレビジョン放送用のテレビジョン受信装置において図１のチャンネル初期設定動作によってフラッシュメモリ５２に作成されたチャンネルマップの概念図の一例である。
【００３８】
図３に示す例においては、物理チャンネル２，６，１２，１４，６１が登録できた物理チャンネルであり、その他の物理チャンネルは未登録の物理チャンネルである。ＴＶマイコン３のＣＰＵ１０は、選局制御部６を介してサブマイコン５４を制御してフラッシュメモリ５２に作成されたチャンネルマップのデータを参照して、ＯＳＤ発生部８を制御して表示部１３にＭａｊｏｒチャンネルとＭｉｎｏｒチャンネルとＳＣＡＮ  ＯＮ／ＯＦＦ設定値をチャンネルマップとして表示する。例えばフラッシュメモリ５２のアドレス１番目のデータは
２−１  ＯＮ
と表示される。
【００３９】
図４に図３のチャンネルマップの表示例を示す。この例においては物理チャンネル６と１２と１４は論理チャンネルとしてＭａｊｏｒチャンネル６が使用されており、６−３、６−４、６−５、６−６がチャンネルマップに含まれて登録されていることを示している。
【００４０】
チャンネルＵＰ／ＤＯＷＮ選局時、ＴＶマイコン３は図２に記載しないリモコンコマンドまたはスイッチ操作などのユーザインターフェイスによるチャンネルＵＰ／ＤＯＷＮ選局指示によりサブマイコン５４にチャンネルＵＰ／ＤＯＷＮ選局を指示し、サブマイコン５４はフラッシュメモリ５２に保存されているチャンネルマップのデータを参照して、現在のＭａｊｏｒ−Ｍｉｎｏｒチャンネルの次にＳＣＡＮ設定がＯＮにされている論理チャンネルを選局するために選局制御部６を介してサブマイコン５４を制御する。例えば、図３に示すチャンネルマップの６−４チャンネルを視聴中、チャンネルＵＰするときは、ＴＶマイコン３のＣＰＵ１０は選局制御部６を介してサブマイコン５４にチャンネルＵＰを指示し、サブマイコン５４はフラッシュメモリ５２に保存されているチャンネルマップのデータを参照して、６−４チャンネルの一つ上位にある６−５チャンネルを選局するために物理チャンネル１２を選局するようにＤＴＶチューナ部５を制御する。
【００４１】
図５に図３とは異なるチャンネルマップ概念図の別の一例を示す。図３では受信できたチャンネル情報のみを記憶させたが、図５では各物理チャンネル毎にチャンネル情報をフラッシュメモリ５２に記憶させるようにしている。図５において、たとえば、アドレス１では物理チャンネル２に論理チャンネル２−１の放送プログラムがあり、チャンネルＵＰ／ＤＯＷＮ選局時選局するようにＳＣＡＮ設定がＯＮとなっている。アドレス３の物理チャンネル３には放送信号が存在せず、チャンネルＵＰ／ＤＯＷＮ選局時スキップするようにＳＣＡＮ設定がＯＦＦとなっている。
【００４２】
以上述べたように、本発明によれば、チャンネル初期設定の実行回数を示す実行履歴値を用いて、２回目以降のチャンネル初期設定において、全物理チャンネルに渡る設定動作を行わずに、未登録の物理チャンネルのみを対象として設定動作を行うので、その分設定処理時間を短縮することができる。
【００４３】
また、２回目以降のチャンネル初期設定で、チャンネルマップがクリア（上書き）されず、未登録の物理チャンネルに関するデータが追加されるので、繰り返してチャンネル初期設定をすることができ、チャンネル初期設定できなかった所望チャンネルをより確実にチャンネルマップに登録することができる。
【００４４】
さらに、アンテナの方向や角度をプリセットできる機能を備えるテレビジョン受信装置に本発明を適用すれば、例えば２つのアンテナ設定モードＡとＢを持つアンテナに本発明を適用すれば、モードＡでチャンネル初期設定をおこない、未登録の物理チャンネルに対して次にモードＢでチャンネル初期設定を行うようにできるので、少なくとも２方向からの放送信号を確実にチャンネルマップに登録することができる利点も有する。勿論、アンテナの入力を手動スイッチで切換える場合にも、適用できることはいうまでもない。
【００４５】
上記では、チャンネル初期設定動作をユーザによる指示で行うようにしているが、これに限定されるものではなく、チャンネル初期設定動作の実行履歴値が１以上のときには、ユーザによるチャンネル初期設定動作指示によらず、チャンネル初期設定動作を自動的に且つ定期的に実行するようにしてもよい。特に、テレビジョン受信装置がスタンバイモード（ＡＣ電源は供給されているが、外観上は電源オフの省電力状態）である時に行うようにすれば、視聴を中断させずにできるので好適である。定期的に行う間隔は特に限定しないが、１日に一回程度が好ましい。
【００４６】
この場合のフローチャートは図１を少し変更することにより容易に実現可能であり、特に図示しない。このようにすれば、受信レベルの変動要因でチャンネルマップに登録できなかった放送プログラムを変動要因が解消したおりに自動的に登録することが可能になり、煩雑なチャンネル初期設定動作指示をする必要もなくなり、快適な選局が可能となる。また、新規に開局された物理チャンネルとそのなかに含まれる論理チャンネルも把握して登録できる効果もある。
【００４７】
本発明によれば、チャンネルＵＰ／ＤＯＷＮ選局をおこなう際の、チャンネルマップを作成するためにおこなわれるテレビジョン受信装置のチャンネル初期設定の動作において、チャンネル初期設定動作の２回目以降のチャンネル初期設定時間を短縮することができる。
【００４８】
また、上記のようにＳ１０４，Ｓ１０７におけるタイムアウト条件を固定せずに、チャンネル初期設定動作の実行履歴判定結果によって、タイムアウト時間を可変するようにしてもよい。例えば、１回目のチャンネル初期設定動作時より２回目以降タイムアウト時間を大きくすることでセグメント同期検出時間、またはＰＡＴ／ＶＣＴ解析時間を長く取ることが出来て検出ミスを減らすことができる。この場合のフローチャートについても、図１を少し変更することにより容易に実現可能であり、特に図示しない。
【００４９】
当然のことながら、本発明によるテレビジョン受信装置は、引越ししても使用できるように、チャンネルマップをクリアし、実行履歴値を初期化する初期化機能を有することはいうまでもない。例えば、本体にチャンネルマップ専用の初期化ボタンを備えれば、受信装置全体のリセット（初期化）をしなくてもよく、例えば画像に関するユーザ設定を保存したままチャンネルマップと実行履歴値のみを初期化させることができる。
【００５０】
図１の実施形態では一度登録されたチャンネルは、その後の繰り返したチャンネル初期設定動作によってチャンネルマップから消えることはない。しかし、放送局側の都合等によりチャンネルが変更される場合も想定されるので、これに対応するため、既登録チャンネルについても放送信号有無の判別をおこなって、連続して放送信号無しと判定された回数を受信不可回数としてチャンネルマップに保存し、チャンネル初期設定動作において受信不可回数が所定の回数を超えて、そのチャンネルが無くなったと見なせるときに、そのチャンネル情報をチャンネルマップから削除することで、受信することができなくなったチャンネル情報を自動的に削除してチャンネルマップを自動的に整理することもできる。
【００５１】
図７は、前記受信することができなくなったチャンネル情報を自動的に削除してチャンネルマップを自動的に整理することができるＡＴＳＣ方式地上波デジタルテレビジョン放送用のテレビジョン受信機のチャンネル初期設定動作のフローチャートである。
【００５２】
図７の実施形態において、図１と同じ符号を付したものについては同一の機能を有するものであり説明を省略する。図７の実施形態において、Ｓ３０１〜Ｓ３１０が図７の実施形態で特有の機能を有するものである。
【００５３】
以下、図２のブロック図を参照して図７のフローチャートのＳ３０１〜Ｓ３１０の動作について、詳細に述べる。なお、図７において、Ｓ２０１で実行履歴値が０の場合は、以降の処理は図１の実行履歴値０の場合の処理に同じであり、その説明を省略する。
【００５４】
サブマイコン５４はＳ２０１にてチャンネル初期設定が何回実行されたかを示す実行履歴値をチェックし、実行履歴が１以上のときＳ３０１に行き既登録チャンネルのマップを作成しＳ１０２にて最小チャンネルを受信し、Ｓ３０２で前記既登録チャンネルマップを参照して現在のチャンネルが既登録チャンネルであるかの判定をおこない、既登録チャンネルである場合は、前回までのチャンネル初期設定で蓄積された受信不可回数Ｔを読み出す。
【００５５】
該受信不可回数ＴはＳ１１０にてチャンネルマップにチャンネル情報が登録されるときは、Ｓ３１０にてチャンネルマップに受信不可回数０が保存される。尚、何等操作がおこなわれていない初期状態の場合は受信不可回数の初期値として１６進データのＦＦが書き込まれている。
【００５６】
Ｓ１０４またはＳ１０７にてタイムアウトしたときはＳ３０４へ行き、Ｓ３０１で作成した既登録チャンネルマップを参照し、現在のチャンネルが既登録チャンネルであるかの判定をおこなう。Ｓ３０４で既登録チャンネルの場合はＳ３０５へ行き、受信不可回数Ｔを＋１してＳ３０６へ行く。Ｓ３０６で受信不可回数Ｔが５を超えたときはＳ３０８へ行き、チャンネルマップから現在のチャンネルのチャンネル情報を削除してＳ１１１へ行き、Ｓ３０６でＴが５を超えていないときはＳ３０７へ行き、受信不可回数Ｔをチャンネルマップに保存してＳ１１１へ行く。Ｓ３０４にて既登録チャンネルではなかった場合もＳ１１１へ行く。
【００５７】
Ｓ１１１で現在の物理チャンネルが最大チャンネルであれば、Ｓ２０５で実行履歴値を＋１する。そして、Ｓ３０９で既登録チャンネルマップをクリアして処理を終了する。
【００５８】
図８は図２のＡＴＳＣ方式地上波デジタルテレビジョン放送用のテレビジョン受信装置において図７のチャンネル初期設定動作によってフラッシュメモリ５２に作成されたチャンネルマップの概念図の一例である。
【００５９】
図８に示す例においては、物理チャンネル２，６，１２，１４，６１が登録できた物理チャンネルであり、その他の物理チャンネルは未登録の物理チャンネルであり、物理チャンネル２はチャンネル初期設定動作にて５回連続受信不可であったために受信不可履歴が５となっている。
【００６０】
次回のチャンネル初期設定動作にて、受信不可だったときは、図７のＳ３０８の処理により物理チャンネル２のデータがすべて消去される。尚、図８中のハイフンマークはデータが無いことを表すが実際は１６進数のＦＦが書き込まれている。次回のチャンネル初期設定動作にて、受信可だったときは、図７のＳ３１０の処理によってＴが０にリセットされる。
【００６１】
本実施形態では、実行履歴情報を用いて、実行履歴値が１以上の場合のみ、予め設定された全チャンネルに渡って前記放送信号の有無の判別をおこなうと共に、チャンネルマップに既に登録されたチャンネルが連続して放送信号無しと判定された回数を受信不可回数として記憶手段に保存し、記憶手段の受信不可回数が所定の回数以上となったときに、当該チャンネルをチャンネルマップから削除するようにしたが、チャンネル初期設定動作時に、チャンネルマップに放送信号有りとして登録されたチャンネル情報の有無を判別して、該判別結果の判別情報を記憶手段に記憶させ、この判別情報が有りの場合に、チャンネルマップに既に登録されたチャンネルが連続して放送信号無しと判定された回数を受信不可回数として記憶手段に保存し、記憶手段の受信不可回数が所定の回数以上となったときに、当該チャンネルをチャンネルマップから削除するようにしてもよい。
【００６２】
具体的には、図７のＳ２０５でチャンネルマップに放送信号有りとして登録されたチャンネル情報があるか否かの判別情報をフラッシュメモリ５２に記憶させ、次回のチャンネル初期設定時に、Ｓ２０１でフラッシュメモリ５２の該判別情報を読み出して、その判別情報で放送信号有りとして登録されたチャンネル情報が有ると判定するとＳ３０１にいくようにすればよい。
【００６３】
上記では、本発明の実施形態を地上波デジタルテレビジョン放送用のテレビジョン受信装置について述べたが、本発明はこれに限定されるものではなく、アナログ放送用のテレビジョン受信装置にも適用可能であることはいうまでもないことである。また、本発明は画像表示部を有しないチューナやセットボックスなどの受信装置にも適用できるのも明白である。
【００６４】
【発明の効果】
本発明によりユーザにとって使い勝手の良い受信装置が提供できる。
【図面の簡単な説明】
【図１】本発明による実施形態を示すＡＴＳＣ方式地上波デジタルテレビジョン放送用のテレビジョン受信装置のチャンネル初期設定動作のフローチャート。
【図２】ＡＴＳＣ方式地上波デジタルテレビジョン放送用のテレビジョン受信装置の概略構成を示すブロック図。
【図３】チャンネルマップの概念図の一例。
【図４】図３のチャンネルマップの表示例。
【図５】チャンネルマップ概念図の別の一例。
【図６】放送チャンネルの受信レベルの一例。
【図７】本発明による別の実施形態を示すＡＴＳＣ方式地上波デジタルテレビジョン放送用のテレビジョン受信装置のチャンネル初期設定動作のフローチャート。
【図８】チャンネルマップ概念図の別の一例。
【符号の説明】
１…ＥＥＰＲＯＭ、３…ＴＶマイコン、５…ＤＴＶチューナ部、６…選局制御部、７…デバイスコントロール部、８…ＯＳＤ発生部、１０…ＣＰＵ、１１…ＶＩＤＥＯ処理部、１２…ＶＩＤＥＯ出力部、１３…表示部、１５…アンテナ、５２…フラッシュメモリ、５３…８−ＶＳＢデモジュレータ、５４…サブマイコン、６１…デマルチプレクサ、６２…デコーダ、６３…ＰＳＩ処理部、６４…ＴＶ機能処理部
【図１】
2004320397.tif 000003
【図２】
2004320397.tif 000004
【図３】
2004320397.tif 000005
【図４】
2004320397.tif 000006
【図５】
2004320397.tif 000007
【図６】
2004320397.tif 000008
【図７】
2004320397.tif 000009
【図８】
2004320397.tif 000010